(57)【要約】【課題】  接続抵抗及び接続工数を低減した大電流用のバッテリパックを得ることである。【解決手段】  複数個のセル１１が直列接続されるバッテリパック１０の正極端子１２と負極端子１３とを１つの面に配置した複数個のセル１１を用意し、正極端子１２及び負極端子１３が配置された面が対面するように複数個のセル１１を配置し、一方のセル１１の正極端子１２と他方のセル１１の負極端子１３とを接続する。【選択図】  図１
2008226519.tif 000002
【特許請求の範囲】
【請求項１】
複数個のセルが直列接続されるバッテリパックにおいて、正極端子と負極端子とを１つの面に配置した複数個のセルを用意し、正極端子及び負極端子が配置された面が対面するように複数個のセルを配置し、一方のセルの正極端子と他方のセルの負極端子とを接続したことを特徴とするバッテリパック。
【請求項２】
前記セルの縁から正極端子または負極端子の中心までの距離は、正極端子または負極端子が配置された面の幅の１／４以下であることを特徴とする請求項１に記載のバッテリパック。
【請求項３】
前記セルの厚さは前記セルの幅の約１／２であることを特徴とする請求項１または請求項２のいずれか１項に記載のバッテリパック。
【請求項４】
前記正極端子及び前記負極端子の接続は、レーザー溶接で接続されたことを特徴とする請求項１ないし３のいずれか１項に記載のバッテリパック
【請求項５】
前記セルの安全弁は、前記正極端子及び前記負極端子の配置された面の反対側に設置されていることを特徴とする請求項１ないし４のいずれか１項に記載のバッテリパック。
【発明の詳細な説明】
【技術分野】
【０００１】
本発明は、複数個の角型セルが直列接続されるバッテリパックに関する。
【背景技術】
【０００２】
一般に、複数個の角型セルを用いたバッテリパックにおいては、セルの端子を接続導体で接続している。図４は従来の複数個の角型セルを用いたバッテリパックの斜視図である。バッテリパック１０を形成する各々のセル１１は正極端子１２及び負極端子１３を同じ面に有し、正極端子１２及び負極端子１３を有した面を同じ方向にして複数個のセル１１を並べて配置し、隣り合うセル１１の正極端子１２と負極端子１３とを接続導体１４で接続して直列接続するようにしている。
【０００３】
大電流を出力するバッテリパック１０においては、接続導体１４の抵抗値を小さくするため接続導体１４の断面積を大きくし、接続導体１４と正極端子１２や負極端子１３との接続抵抗を下げるために溶接によって接合している。
【０００４】
複数個の角型のバッテリモジュールを積層して構成され略直方体の形状を有したバッテリパックとしては、略直方体の最も短い辺が鉛直下方に向くように搭載されたものがある（例えば、特許文献１参照）。
【特許文献１】特開２００４−３１１１４２号公報
【発明の開示】
【発明が解決しようとする課題】
【０００５】
しかし、従来のバッテリパックにおいては、２つのセルを接続するために接続導体１４を用いて正極端子１２と負極端子１３とを接続しているので、接続導体１４が必要となる。また、その接続導体１４で隣り合うセル１１の正極端子１２と負極端子１３とを接続するので接続箇所が２箇所となる。また、その接続は溶接などで接合することになるので、接続導体１４分の重量増加や２つのセル１１間の接合に２箇所の溶接が必要となり作業が煩雑となる。
【０００６】
本発明の目的は、上述した課題を解決するためになされたものであり、接続抵抗及び接続工数を低減した大電流用のバッテリパックを得ることである。
【課題を解決するための手段】
【０００７】
本発明に係わるバッテリパックは、複数個のセルが直列接続されるバッテリパックにおいて、正極端子と負極端子とを１つの面に配置した複数個のセルを用意し、正極端子及び負極端子が配置された面が対面するように複数個のセルを配置し、一方のセルの正極端子と他方のセルの負極端子とを接続したことを特徴とする。
【発明の効果】
【０００８】
本発明によれば、接続抵抗及び接続工数を低減した大電流用のバッテリパックを得ることができる。
【発明を実施するための最良の形態】
【０００９】
図１は本発明の実施の形態に係わるバッテリパックの一例を示す斜視図である。バッテリパック１０のセル１１は一方向の端面に正極端子１２と負極端子１３とを並べて配置している。そして、セル１１の正極端子１２及び負極端子１３が配置された面同士が向かい合うようにセル１１を配置し、向かい合った一方のセル１１の正極端子１２と他方のセル１１の負極端子１３とをレーザー溶接などの溶接によって接続する。このような接続を複数繰り返すことによって、出力電圧に必要な個数のセルを直列に接続している。
【００１０】
また、各セル１１の安全弁１５は、正極端子１２及び負極端子１３が配置された面の反対側の面に配置する。これによって、セル１１の接続部を絶縁樹脂などでモールドすることが可能となり、安全弁１５からガスが放出された場合であってもセル１１の正極端子１２及び負極端子１３の接続部にガスが掛からない構成としている。
【００１１】
また、セル１１の正極端子１２及び負極端子１３の配置は、図２（ａ）に示すように、セル１１の縁から正極端子１２または負極端子１３の中心までの距離ｄ１がセル１１の幅Ｗの約１／４以下となるように配置する。これにより、図１に示すように複数個のセル１１を密着して配置することができる。実際には、セル幅の１／４より公差分だけ短くすることになる。
【００１２】
また、隣り合うセル１１間に冷却のための隙間が必要な場合には、図２（ｂ）に示すように、セル１１の縁から正極端子１２または負極端子１３の中心までの距離ｄ２を短くする。これにより冷却のために必要な隣り合うセル１１間の隙間を確保する。つまり、その隙間の１／２だけ、セル幅Ｗの約１／４より短い位置に正極端子１２または負極端子１３を配置する。
【００１３】
図３は、本発明の実施の形態に係わるバッテリパックの他の一例を示す斜視図である。図３に示すように、セル１１の厚さＡをセル幅Ｗの約１／２とすることにより、図３の右側に示すようにセル１１の厚さＡ方向に対してもセル１１を直列に接続して配置することができる。
【００１４】
本発明の実施の形態によれば、セル１１の正極端子１２や負極端子１３を直接溶接することができるため、セル１１の正極端子１２や負極端子１３を接続する接続導体１４が不要となる。また、２つのセル１１を直列に接続するために、１箇所の溶接でよいため、接続箇所が減少した分と接続導体１４の抵抗分の抵抗を少なくすることができる。また、複数のセル１１の接続点が直線状に並ぶため、レーザー溶接を効率的に行うことができる。
【図面の簡単な説明】
【００１５】
【図１】本発明の実施の形態に係わるバッテリパックの一例を示す斜視図。
【図２】本発明の実施の形態におけるセルの正極端子及び負極端子の配置の説明図。
【図３】本発明の実施の形態に係わるバッテリパックの他の一例を示す斜視図。
【図４】従来の複数個の角型セルを用いたバッテリパックの斜視図。
【符号の説明】
【００１６】
１０…バッテリパック、１１…セル、１２…正極端子、１３…負極端子、１４…接続導体、１５…安全弁
【図１】
2008226519.tif 000003
【図２】
2008226519.tif 000004
【図３】
2008226519.tif 000005
【図４】
2008226519.tif 000006